【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
表示部と、
外部メモリの装着を可能にするためのインタフェースと、
原稿を搬送する搬送部に原稿が置かれたことを検知する検知手段と、
前記原稿を読み取って当該原稿の画像データを生成する読取手段と、
表示のための電力が前記表示部に給電されていない第１の電力状態において前記検知手段による検知結果に基づいて、前記第１の電力状態から、表示のための電力が前記表示部に給電されている第２の電力状態へ移行させる電力制御手段と、
前記第２の電力状態において前記表示部への表示を制御する表示制御手段と、を有し、
前記電力制御手段によって前記第１の電力状態から前記第２の電力状態へ移行し、前記表示制御手段は、前記移行後の前記第２の電力状態において、前記外部メモリが前記インタフェースに装着されていることに基づき、前記読取手段によって生成された画像データを前記外部メモリへ保存することを指示可能な画面を前記表示部に表示させる、
ことを特徴とする画像形成装置。
【請求項２】
表示部と、
外部メモリの装着を可能にするためのインタフェースと、
原稿を搬送する搬送部に原稿が置かれたことを検知する検知手段と、
前記原稿を読み取って当該原稿の画像データを生成する読取手段と、
前記インタフェースに装着されている前記外部メモリに前記インタフェースが給電していない第１の電力状態において前記検知手段による検知結果に基づいて、前記第１の電力状態から、前記インタフェースが前記外部メモリに給電している第２の電力状態へ移行させる電力制御手段と、
前記第２の電力状態において前記表示部への表示を制御する表示制御手段と、を有し、
前記電力制御手段によって前記第１の電力状態から前記第２の電力状態へ移行し、前記表示制御手段は、前記移行後の前記第２の電力状態において、前記外部メモリが前記インタフェースに装着され前記インタフェースから給電されていることに基づき、前記読取手段によって生成された画像データを前記外部メモリへ保存することを指示可能な画面を前記表示部に表示させる、
ことを特徴とする画像形成装置。
【請求項３】
表示部と、
外部メモリの装着を可能にするためのインタフェースと、
原稿を搬送する搬送部に原稿が置かれたことを検知する検知手段と、
前記原稿を読み取って当該原稿の画像データを生成する読取手段と、
表示のための電力が前記表示部に給電されていない第１の電力状態において前記検知手段による検知結果に基づいて、前記第１の電力状態から、表示のための電力が前記表示部に給電されている第２の電力状態へ移行させる電力制御手段と、
前記第２の電力状態において前記表示部への表示を制御する表示制御手段と、を有し、
前記電力制御手段によって前記第１の電力状態から前記第２の電力状態へ移行し、前記表示制御手段は、前記移行後の前記第２の電力状態において、前記外部メモリが前記インタフェースに装着されていることに基づき、前記読取手段によって生成された画像データを設定されたファイル形式で前記外部メモリへ保存することを指示可能な画面を前記表示部に表示させる、
ことを特徴とする画像形成装置。
【請求項４】
表示部と、
外部メモリの装着を可能にするためのインタフェースと、
原稿を搬送する搬送部に原稿が置かれたことを検知する検知手段と、
前記原稿を読み取って当該原稿の画像データを生成する読取手段と、
前記インタフェースに装着されている前記外部メモリに前記インタフェースが給電していない第１の電力状態において前記検知手段による検知結果に基づいて、前記第１の電力状態から、前記インタフェースが前記外部メモリに給電している第２の電力状態へ移行させる電力制御手段と、
前記第２の電力状態において前記表示部への表示を制御する表示制御手段と、を有し、
前記電力制御手段によって前記第１の電力状態から前記第２の電力状態へ移行し、前記表示制御手段は、前記移行後の前記第２の電力状態において、前記外部メモリが前記インタフェースに装着され前記インタフェースから給電されていることに基づき、前記読取手段によって生成された画像データを設定されたファイル形式で前記外部メモリへ保存することを指示可能な画面を前記表示部に表示させる、
ことを特徴とする画像形成装置。
【請求項５】
表示部と、
外部メモリの装着を可能にするためのインタフェースと、
原稿を搬送する搬送部に原稿が置かれたことを検知する検知手段と、
前記原稿を読み取って当該原稿の画像データを生成する読取手段と、
表示のための電力が前記表示部に給電されていない第１の電力状態において前記検知手段による検知結果に基づいて、前記第１の電力状態から、表示のための電力が前記表示部に給電されている第２の電力状態へ移行させる電力制御手段と、
前記第２の電力状態において前記表示部への表示を制御する表示制御手段と、を有し、
前記表示制御手段は、前記電力制御手段によって前記第１の電力状態から前記第２の電力状態へ移行した時に、前記外部メモリが前記インタフェースに装着され前記インタフェースから給電されていることに基づき、前記読取手段によって生成された画像データを前記外部メモリへ保存することを指示可能な画面を前記表示部に表示させる、
ことを特徴とする画像形成装置。
【請求項６】
表示部と、
外部メモリの装着を可能にするためのインタフェースと、
原稿を搬送する搬送部に原稿が置かれたことを検知する検知手段と、
前記原稿を読み取って当該原稿の画像データを生成する読取手段と、
前記インタフェースに装着されている前記外部メモリに前記インタフェースが給電していない第１の電力状態において前記検知手段による検知結果に基づいて、前記第１の電力状態から、前記インタフェースが前記外部メモリに給電している第２の電力状態へ移行させる電力制御手段と、
前記第２の電力状態において前記表示部への表示を制御する表示制御手段と、を有し、
前記表示制御手段は、前記電力制御手段によって前記第１の電力状態から前記第２の電力状態へ移行した時に、前記外部メモリが前記インタフェースに装着され前記インタフェースから給電されていることに基づき、前記読取手段によって生成された画像データを前記外部メモリへ保存することを指示可能な画面を前記表示部に表示させる、
ことを特徴とする画像形成装置。
【請求項７】
表示部と、
外部メモリの装着を可能にするためのインタフェースと、
原稿を搬送する搬送部に原稿が置かれたことを検知する検知手段と、
前記原稿を読み取って当該原稿の画像データを生成する読取手段と、
表示のための電力が前記表示部に給電されていない第１の電力状態において前記検知手段による検知結果に基づいて、前記第１の電力状態から、表示のための電力が前記表示部に給電されている第２の電力状態へ移行させる電力制御手段と、
前記第２の電力状態において前記表示部への表示を制御する表示制御手段と、を有し、
前記表示制御手段は、前記電力制御手段によって前記第１の電力状態から前記第２の電力状態へ移行した時に、前記外部メモリが前記インタフェースに装着され前記インタフェースから給電されていることに基づき、前記読取手段によって生成された画像データを設定されたファイル形式で前記外部メモリへ保存することを指示可能な画面を前記表示部に表示させる、
ことを特徴とする画像形成装置。
【請求項８】
表示部と、
外部メモリの装着を可能にするためのインタフェースと、
原稿を搬送する搬送部に原稿が置かれたことを検知する検知手段と、
前記原稿を読み取って当該原稿の画像データを生成する読取手段と、
前記インタフェースに装着されている前記外部メモリに前記インタフェースが給電していない第１の電力状態において前記検知手段による検知結果に基づいて、前記第１の電力状態から、前記インタフェースが前記外部メモリに給電している第２の電力状態へ移行させる電力制御手段と、
前記第２の電力状態において前記表示部への表示を制御する表示制御手段と、を有し、
前記表示制御手段は、前記電力制御手段によって前記第１の電力状態から前記第２の電力状態へ移行した時に、前記外部メモリが前記インタフェースに装着され前記インタフェースから給電されていることに基づき、前記読取手段によって生成された画像データを設定されたファイル形式で前記外部メモリへ保存することを指示可能な画面を前記表示部に表示させる、
ことを特徴とする画像形成装置。
【請求項９】
表示部と、
外部メモリの装着を可能にするためのインタフェースと、
原稿を搬送する搬送部に原稿が置かれたことを検知する検知手段と、
前記原稿を読み取って当該原稿の画像データを生成する読取手段と、
前記インタフェースに装着されている前記外部メモリに前記インタフェースが給電していない第１の電力状態において前記検知手段による検知結果に基づいて、前記第１の電力状態から、前記インタフェースが前記外部メモリに給電している第２の電力状態へ移行させる電力制御手段と、
前記第２の電力状態において前記表示部への表示を制御する表示制御手段と、を有し、
前記電力制御手段によって前記第１の電力状態から前記第２の電力状態へ移行し、前記表示制御手段は、前記移行後の前記第２の電力状態において、前記外部メモリが前記インタフェースに装着されていることに基づき、前記読取手段によって生成された画像データを前記外部メモリへ保存することを指示可能な画面を前記表示部に表示させる、
ことを特徴とする画像形成装置。
【請求項１０】
表示部と、
外部メモリの装着を可能にするためのインタフェースと、
原稿を搬送する搬送部に原稿が置かれたことを検知する検知手段と、
前記原稿を読み取って当該原稿の画像データを生成する読取手段と、
前記インタフェースに装着されている前記外部メモリに前記インタフェースが給電していない第１の電力状態において前記検知手段による検知結果に基づいて、前記第１の電力状態から、前記インタフェースが前記外部メモリに給電している第２の電力状態へ移行させる電力制御手段と、
前記第２の電力状態において前記表示部への表示を制御する表示制御手段と、を有し、
前記電力制御手段によって前記第１の電力状態から前記第２の電力状態へ移行し、前記表示制御手段は、前記移行後の前記第２の電力状態において、前記外部メモリが前記インタフェースに装着されていることに基づき、前記読取手段によって生成された画像データを設定されたファイル形式で前記外部メモリへ保存することを指示可能な画面を前記表示部に表示させる、
ことを特徴とする画像形成装置。
【請求項１１】
前記電力制御手段は、前記第１の電力状態において、さらに前記画像形成装置の操作部の操作に基づいて、前記第１の電力状態から前記第２の電力状態へ移行させることを特徴とする請求項１乃至１０のいずれか１項に記載の画像形成装置。
【請求項１２】
前記表示部は、前記画像形成装置の機器状態を通知することを特徴とする請求項１乃至１０のいずれか１項に記載の画像形成装置。
【請求項１３】
前記インタフェースは、ＵＳＢインタフェースであることを特徴とする請求項１乃至１０のいずれか１項に記載の画像形成装置。
【請求項１４】
前記外部メモリは、ＵＳＢメモリであることを特徴とする請求項１乃至１０のいずれか１項に記載の画像形成装置。
【請求項１５】
複数の画面の中から１つの画面を設定する設定手段、をさらに有し、
前記表示制御手段は、前記設定手段によって設定された画面を前記表示部へ表示させることを特徴とする請求項１乃至１０のいずれか１項に記載の画像形成装置。
【請求項１６】
表示部と、
外部メモリの装着を可能にするためのインタフェースと、を有する画像形成装置において実行される画像形成装置の制御方法であって、
原稿を搬送する搬送部に原稿が置かれたことを検知する検知工程と、
前記原稿を読み取って当該原稿の画像データを生成する読取工程と、
表示のための電力が前記表示部に給電されていない第１の電力状態において前記検知工程における検知結果に基づいて、前記第１の電力状態から、表示のための電力が前記表示部に給電されている第２の電力状態へ移行させる電力制御工程と、
前記第２の電力状態において前記表示部への表示を制御する表示制御工程と、を有し、
前記電力制御工程において前記第１の電力状態から前記第２の電力状態へ移行し、前記表示制御工程では、前記移行後の前記第２の電力状態において、前記外部メモリが前記インタフェースに装着されていることに基づき、前記読取工程において生成された画像データを前記外部メモリへ保存することを指示可能な画面を前記表示部に表示させる、
ことを特徴とする画像形成装置の制御方法。
【請求項１７】
表示部と、
外部メモリの装着を可能にするためのインタフェースと、を有する画像形成装置において実行される画像形成装置の制御方法であって、
原稿を搬送する搬送部に原稿が置かれたことを検知する検知工程と、
前記原稿を読み取って当該原稿の画像データを生成する読取工程と、
前記インタフェースに装着されている前記外部メモリに前記インタフェースが給電していない第１の電力状態において前記検知工程における検知結果に基づいて、前記第１の電力状態から、前記インタフェースが前記外部メモリに給電している第２の電力状態へ移行させる電力制御工程と、
前記第２の電力状態において前記表示部への表示を制御する表示制御工程と、を有し、
前記電力制御工程において前記第１の電力状態から前記第２の電力状態へ移行し、前記表示制御工程では、前記移行後の前記第２の電力状態において、前記外部メモリが前記インタフェースに装着され前記インタフェースから給電されていることに基づき、前記読取工程において生成された画像データを前記外部メモリへ保存することを指示可能な画面を前記表示部に表示させる、
ことを特徴とする画像形成装置の制御方法。
【請求項１８】
表示部と、
外部メモリの装着を可能にするためのインタフェースと、を有する画像形成装置において実行される画像形成装置の制御方法であって、
原稿を搬送する搬送部に原稿が置かれたことを検知する検知工程と、
前記原稿を読み取って当該原稿の画像データを生成する読取工程と、
表示のための電力が前記表示部に給電されていない第１の電力状態において前記検知工程における検知結果に基づいて、前記第１の電力状態から、表示のための電力が前記表示部に給電されている第２の電力状態へ移行させる電力制御工程と、
前記第２の電力状態において前記表示部への表示を制御する表示制御工程と、を有し、
前記電力制御工程において前記第１の電力状態から前記第２の電力状態へ移行し、前記表示制御工程では、前記移行後の前記第２の電力状態において、前記外部メモリが前記インタフェースに装着されていることに基づき、前記読取工程において生成された画像データを設定されたファイル形式で前記外部メモリへ保存することを指示可能な画面を前記表示部に表示させる、
ことを特徴とする画像形成装置の制御方法。
【請求項１９】
表示部と、
外部メモリの装着を可能にするためのインタフェースと、を有する画像形成装置において実行される画像形成装置の制御方法であって、
原稿を搬送する搬送部に原稿が置かれたことを検知する検知工程と、
前記原稿を読み取って当該原稿の画像データを生成する読取工程と、
前記インタフェースに装着されている前記外部メモリに前記インタフェースが給電していない第１の電力状態において前記検知工程における検知結果に基づいて、前記第１の電力状態から、前記インタフェースが前記外部メモリに給電している第２の電力状態へ移行させる電力制御工程と、
前記第２の電力状態において前記表示部への表示を制御する表示制御工程と、を有し、
前記電力制御工程において前記第１の電力状態から前記第２の電力状態へ移行し、前記表示制御工程では、前記移行後の前記第２の電力状態において、前記外部メモリが前記インタフェースに装着され前記インタフェースから給電されていることに基づき、前記読取工程において生成された画像データを設定されたファイル形式で前記外部メモリへ保存することを指示可能な画面を前記表示部に表示させる、
ことを特徴とする画像形成装置の制御方法。
【請求項２０】
表示部と、
外部メモリの装着を可能にするためのインタフェースと、を有する画像形成装置において実行される画像形成装置の制御方法であって、
原稿を搬送する搬送部に原稿が置かれたことを検知する検知工程と、
前記原稿を読み取って当該原稿の画像データを生成する読取工程と、
表示のための電力が前記表示部に給電されていない第１の電力状態において前記検知工程における検知結果に基づいて、前記第１の電力状態から、表示のための電力が前記表示部に給電されている第２の電力状態へ移行させる電力制御工程と、
前記第２の電力状態において前記表示部への表示を制御する表示制御工程と、を有し、
前記表示制御工程では、前記電力制御工程において前記第１の電力状態から前記第２の電力状態へ移行した時に、前記外部メモリが前記インタフェースに装着され前記インタフェースから給電されていることに基づき、前記読取工程において生成された画像データを前記外部メモリへ保存することを指示可能な画面を前記表示部に表示させる、
ことを特徴とする画像形成装置の制御方法。
【請求項２１】
表示部と、
外部メモリの装着を可能にするためのインタフェースと、を有する画像形成装置において実行される画像形成装置の制御方法であって、
原稿を搬送する搬送部に原稿が置かれたことを検知する検知工程と、
前記原稿を読み取って当該原稿の画像データを生成する読取工程と、
前記インタフェースに装着されている前記外部メモリに前記インタフェースが給電していない第１の電力状態において前記検知工程における検知結果に基づいて、前記第１の電力状態から、前記インタフェースが前記外部メモリに給電している第２の電力状態へ移行させる電力制御工程と、
前記第２の電力状態において前記表示部への表示を制御する表示制御工程と、を有し、
前記表示制御工程では、前記電力制御工程において前記第１の電力状態から前記第２の電力状態へ移行した時に、前記外部メモリが前記インタフェースに装着され前記インタフェースから給電されていることに基づき、前記読取工程において生成された画像データを前記外部メモリへ保存することを指示可能な画面を前記表示部に表示させる、
ことを特徴とする画像形成装置の制御方法。
【請求項２２】
表示部と、
外部メモリの装着を可能にするためのインタフェースと、を有する画像形成装置において実行される画像形成装置の制御方法であって、
原稿を搬送する搬送部に原稿が置かれたことを検知する検知工程と、
前記原稿を読み取って当該原稿の画像データを生成する読取工程と、
表示のための電力が前記表示部に給電されていない第１の電力状態において前記検知工程における検知結果に基づいて、前記第１の電力状態から、表示のための電力が前記表示部に給電されている第２の電力状態へ移行させる電力制御工程と、
前記第２の電力状態において前記表示部への表示を制御する表示制御工程と、を有し、
前記表示制御工程では、前記電力制御工程において前記第１の電力状態から前記第２の電力状態へ移行した時に、前記外部メモリが前記インタフェースに装着され前記インタフェースから給電されていることに基づき、前記読取工程において生成された画像データを設定されたファイル形式で前記外部メモリへ保存することを指示可能な画面を前記表示部に表示させる、
ことを特徴とする画像形成装置の制御方法。
【請求項２３】
表示部と、
外部メモリの装着を可能にするためのインタフェースと、を有する画像形成装置において実行される画像形成装置の制御方法であって、
原稿を搬送する搬送部に原稿が置かれたことを検知する検知工程と、
前記原稿を読み取って当該原稿の画像データを生成する読取工程と、
前記インタフェースに装着されている前記外部メモリに前記インタフェースが給電していない第１の電力状態において前記検知工程における検知結果に基づいて、前記第１の電力状態から、前記インタフェースが前記外部メモリに給電している第２の電力状態へ移行させる電力制御工程と、
前記第２の電力状態において前記表示部への表示を制御する表示制御工程と、を有し、
前記表示制御工程では、前記電力制御工程において前記第１の電力状態から前記第２の電力状態へ移行した時に、前記外部メモリが前記インタフェースに装着され前記インタフェースから給電されていることに基づき、前記読取工程において生成された画像データを設定されたファイル形式で前記外部メモリへ保存することを指示可能な画面を前記表示部に表示させる、
ことを特徴とする画像形成装置の制御方法。
【請求項２４】
表示部と、
外部メモリの装着を可能にするためのインタフェースと、を有する画像形成装置において実行される画像形成装置の制御方法であって、
原稿を搬送する搬送部に原稿が置かれたことを検知する検知工程と、
前記原稿を読み取って当該原稿の画像データを生成する読取工程と、
前記インタフェースに装着されている前記外部メモリに前記インタフェースが給電していない第１の電力状態において前記検知工程における検知結果に基づいて、前記第１の電力状態から、前記インタフェースが前記外部メモリに給電している第２の電力状態へ移行させる電力制御工程と、
前記第２の電力状態において前記表示部への表示を制御する表示制御工程と、を有し、
前記電力制御工程において前記第１の電力状態から前記第２の電力状態へ移行し、前記表示制御工程では、前記移行後の前記第２の電力状態において、前記外部メモリが前記インタフェースに装着されていることに基づき、前記読取工程において生成された画像データを前記外部メモリへ保存することを指示可能な画面を前記表示部に表示させる、
ことを特徴とする画像形成装置の制御方法。
【請求項２５】
表示部と、
外部メモリの装着を可能にするためのインタフェースと、を有する画像形成装置において実行される画像形成装置の制御方法であって、
原稿を搬送する搬送部に原稿が置かれたことを検知する検知工程と、
前記原稿を読み取って当該原稿の画像データを生成する読取工程と、
前記インタフェースに装着されている前記外部メモリに前記インタフェースが給電していない第１の電力状態において前記検知工程における検知結果に基づいて、前記第１の電力状態から、前記インタフェースが前記外部メモリに給電している第２の電力状態へ移行させる電力制御工程と、
前記第２の電力状態において前記表示部への表示を制御する表示制御工程と、を有し、
前記電力制御工程において前記第１の電力状態から前記第２の電力状態へ移行し、前記表示制御工程では、前記移行後の前記第２の電力状態において、前記外部メモリが前記インタフェースに装着されていることに基づき、前記読取工程において生成された画像データを設定されたファイル形式で前記外部メモリへ保存することを指示可能な画面を前記表示部に表示させる、
ことを特徴とする画像形成装置の制御方法。
【手続補正２】
【補正対象書類名】明細書
【補正対象項目名】０００９
【補正方法】変更
【補正の内容】
【０００９】
上記目的を達成するために本発明の一態様に係る画像形成装置は以下のような構成を備える。即ち、
表示部と、
外部メモリの装着を可能にするためのインタフェースと、
原稿を搬送する搬送部に原稿が置かれたことを検知する検知手段と、
前記原稿を読み取って当該原稿の画像データを生成する読取手段と、
表示のための電力が前記表示部に給電されていない第１の電力状態において前記検知手段による検知結果に基づいて、前記第１の電力状態から、表示のための電力が前記表示部に給電されている第２の電力状態へ移行させる電力制御手段と、
前記第２の電力状態において前記表示部への表示を制御する表示制御手段と、を有し、
前記電力制御手段によって前記第１の電力状態から前記第２の電力状態へ移行し、前記表示制御手段は、前記移行後の前記第２の電力状態において、前記外部メモリが前記インタフェースに装着されていることに基づき、前記読取手段によって生成された画像データを前記外部メモリへ保存することを指示可能な画面を前記表示部に表示させる、ことを特徴とする。